(57)【要約】【課題】カード排出時の排出ストロークが大きく、かつ排出レバーと端子部との接触を防止することができる排出カード用コネクタを提供する。【解決手段】カード用コネクタ１００は、カードＣＡを挿入可能な挿入空間１ａを有するハウジング１と、ハウジング１に固定されて挿入空間１ａに突出する端子部２と、回動可能に軸支され、カードＣＡを押し出す排出レバー３と、を備えるカード用コネクタにおいて、排出レバー３とカードＣＡの間に介在し力を伝達する伝達部４ａ、および排出レバー３と端子部２の間に介在し端子部２を下方に押下げ可能な端子押下面４ｃを有する端子押下部４ｂを備えたスライド部材４を備え、スライド部材４はカードＣＡの挿入方向前方側でカードＣＡの排出方向にスライド可能に支持され、排出レバー３と端子部２とが平面視で重なり合う位置において端子押下部４ｂが排出レバー３と端子部２との間に介在する構成とした。【選択図】図１３
2015109232.tif 000002
【特許請求の範囲】
【請求項１】
接続端子を有したカードを開口部から挿入可能な挿入空間を有するハウジングと、
前記ハウジングの底板部に固定されて前記挿入空間の内側に突出し、前記カードの接続端子と接続可能に配設され、上下方向に弾性変形可能な端子部と、
上下方向を回転中心として回動可能に軸支され、一端部を上記カードの挿入方向へ押圧すると、回動して他端部が前記カードを前記開口部へ押し出す排出レバーと、
を備えるカード用コネクタにおいて、
前記排出レバーと前記カードの挿入方向前端部の間に介在し前記排出レバーのカードの排出方向への力を伝達可能な伝達部、および前記排出レバーと前記端子部の間に介在し前記端子部を下方に押下げ可能な端子押下面を有する端子押下部を備えたスライド部材を備え、
前記スライド部材は前記カードの挿入方向前方側で前記カードとともにカードの排出方向にスライド可能に支持され、
前記排出レバーと前記端子部とが平面視で重なり合う位置において前記端子押下部が前記排出レバーと前記端子部との間に介在することを特徴とするカード用コネクタ。
【請求項２】
前記端子押下面は、前記カードの挿入方向に沿った平坦面を備えていることを特徴とする請求項１に記載のカード用コネクタ。
【請求項３】
前記端子押下面は、前記開口部側の端部に、前記平坦面に連接され前記平坦面から上方に向かって傾斜する傾斜面を備えていることを特徴とする請求項１または請求項２に記載のカード用コネクタ。
【発明の詳細な説明】
【技術分野】
【０００１】
本発明は、カード用コネクタに関し、特に、カード排出時の排出ストロークが大きく、かつ排出レバーと端子部との接触を防止することができるカード用コネクタに関するものである。
【背景技術】
【０００２】
昨今、携帯機器には、カード型の記録媒体（以後カードとする）へのデータの保存および読み込みを行なうために、携帯機器とカードとの接続を可能とするカード用コネクタが用いられており、カード用コネクタには、カードをカード用コネクタの外部へ排出する機能がついているものが多い。このようなカード用コネクタとしては、下記の特許文献１に記載のカード用コネクタが知られている。
【０００３】
以下、図１７を用いて、特許文献１に記載のカード用コネクタ９００について説明する。図１７は、特許文献１に記載のカード用コネクタ９００を示す図であり、図１７（ａ）はカード９０１が挿入された状態のカード用コネクタ９００を示す平面図であり、図１７（ｂ）はカード９０１が排出された状態のカード用コネクタ９００を示す平面図である。
【０００４】
特許文献１に記載のカード用コネクタ９００は、図１７（ａ）に示すように、カード９０１を保持可能な収納スペースを有するハウジング９０６と、ハウジング９０６に保持されたカード９０１を排出させる排出レバー９１０と、排出レバー９１０を動作させるつまみ９１４およびプッシュロッド９１３と、を備えている。排出レバー９１０はハウジング９０６の収納スペースの最奥部に軸９１１を中心に回動可能に取り付けられており、軸９１１を挟んで一方側には連結部を有し、他端側には第１押圧部９１６と第２押圧部９１７とが収納スペース側に突出して設けられている。なお、第２押圧部９１７は第１押圧部９１６よりも軸９１１から離れた位置に設けられている。プッシュロッド９１３はカード９０１の挿入方向に向かって延出するとともに、挿入方向に沿って動作可能にハウジング９０６の側面に保持されている。なお、プッシュロッド９１３の挿入方向側の一端は排出レバー９１０の連結部に連結されており、他端にはつまみ９１４が取り付けられている。カード用コネクタ９００は、ハウジング９０６の収納部の奥までカード９０１が挿入されると、第１押圧部９１６とカード９０１の挿入方向の先端とが接触した状態でカード９０１を保持する。カード９０１を保持した状態から、つまみ９１４を挿入方向へ押圧すると、図１７（ｂ）に示すように、プッシュロッド９１３は挿入方向へ押し出され、軸９１１を中心に排出レバー９１０を回動させる。回動した排出レバー９１０は第１押圧部９１６でカード９０１を排出方向へ押圧し、途中から第２押圧部９１７に切り換わってさらに排出方向へ押圧し、カード９０１を排出することができる。
【先行技術文献】
【特許文献】
【０００５】
【特許文献１】特開２００４−３３５３０３号公報
【発明の概要】
【発明が解決しようとする課題】
【０００６】
昨今、従来のカードよりも大きさが小さなカードに対応可能なカード用コネクタが求められている。カードが小さくなっているので、内部から排出したカードをより摘まみやすくするために、カード排出時のカード排出量をより多くして欲しいとの要求がある。
【０００７】
しかしながら、特許文献１に記載のカード用コネクタ９００の構造では、カードの排出ストロークを大きくしようとすると、排出レバーの回動角度を大きくする必要がある。排出レバーの回動角度を大きくすると、排出レバーと端子部が衝突し、端子部が変形することが懸念される。また、端子部を回避する構造とするには、カード用コネクタの大きさが大きくなり、カードの大きさに似合った大きさにすることは困難である。
【０００８】
本発明は、上述した課題を解決して、カード排出時の排出ストロークが大きく、かつ排出レバーと端子部との接触を防止することができる排出カード用コネクタを提供するものである。
【課題を解決するための手段】
【０００９】
請求項１に記載のカード用コネクタにおいては、接続端子を有したカードを開口部から挿入可能な挿入空間を有するハウジングと、前記ハウジングの底板部に固定されて前記挿入空間の内側に突出し、前記カードの接続端子と接続可能に配設され、上下方向に弾性変形可能な端子部と、上下方向を回転中心として回動可能に軸支され、一端部を上記カードの挿入方向へ押圧すると、回動して他端部が前記カードを前記開口部へ押し出す排出レバーと、を備えるカード用コネクタにおいて、前記排出レバーと前記カードの挿入方向前端部の間に介在し前記排出レバーのカードの排出方向への力を伝達可能な伝達部、および前記排出レバーと前記端子部の間に介在し前記端子部を下方に押下げ可能な端子押下面を有する端子押下部を備えたスライド部材を備え、前記スライド部材は前記カードの挿入方向前方側で前記カードとともにカードの排出方向にスライド可能に支持され、前記排出レバーと前記端子部とが平面視で重なり合う位置において前記端子押下部が前記排出レバーと前記端子部との間に介在する、という特徴を有する。
【００１０】
請求項２に記載のカード用コネクタにおいては、前記端子押下面は、前記カードの挿入方向に沿った平坦面を備えている、という特徴を有する。
【００１１】
請求項３に記載のカード用コネクタにおいては、前記端子押下面は、前記開口部側の端部に、前記平坦面に連接され前記平坦面から上方に向かって傾斜する傾斜面を備えている、という特徴を有する。
【発明の効果】
【００１２】
請求項１の発明によれば、カードとともにカードの排出方向にスライド可能に支持されたスライド部材に端子押下部を設け、平面視で、回動により排出レバーと端子部とが重なりあう位置において、排出レバーと端子部との間に端子押下部が介在する構成とした。このような構成とすることで、カードが排出される過程で、端子部は端子押下部により押し下げられ、排出レバーと端子部とが接触することはなくなる。これにより、排出レバーと端子部とが接触し、端子部が変形するのを防ぐことができる。よって、排出レバーの回動域を広げても排出レバーと端子部とが接触し、端子部が変形することがなくなるため、カード排出時の排出ストロークを大きくすることができる。したがって、カード排出時の排出ストロークが大きく、かつ排出レバーと端子部との接触を防止することができるカード用コネクタを提供することができる、という効果を奏する。
【００１３】
請求項２の発明によれば、カードの挿入方向に沿った平坦面で端子に接触することで、端子に余計な負荷がかかりにくく、端子の変形や破損などが発生しにくくなり、より確実にカードとの電気的な接続を得ることができるカード用コネクタを提供することができる、という効果を奏する。
【００１４】
請求項３の発明によれば、端子押下部の端部に、傾斜面を設けることで、はじめに傾斜面と端子とが接触し、傾斜面に沿って接触しながら移動し、徐々に下方へ撓む。そのため、端子にはさらに余計な負荷がかかりにくくなり、端子の変形や破損などがさらに発生しにくくなる。したがって、さらに確実にカードとの電気的な接続を得ることができるカード用コネクタを提供することができる、という効果を奏する。
【００１５】
以上より、本発明によれば、カード排出時の排出ストロークが大きく、かつ排出レバーと端子部との接触を防止することができる排出カード用コネクタを提供することができる。
【図面の簡単な説明】
【００１６】
【図１】第１実施形態におけるカード用コネクタ１００の構成を示す分解斜視図である。
【図２】第１実施形態におけるカード用コネクタ１００の外観を示す斜視図である。
【図３】第１実施形態におけるカード用コネクタ１００が対応可能なカードＣＡを示す図である。
【図４】第１実施形態における操作レバー５を示す図である。
【図５】第１実施形態における排出レバー３を示す図である。
【図６】第１実施形態におけるスライド部材４を示す図である。
【図７】図６（ｂ）に記載の断面Ａ−Ａを示す断面図である。
【図８】第１実施形態におけるハウジング１を示す図である。
【図９】第１実施形態におけるカバー７を示す図である。
【図１０】第１実施形態におけるカード用コネクタ１００の構成を示す平面図である。
【図１１】第１実施形態におけるカード用コネクタ１００にカードＣＡが未挿入の場合の端子部２、排出レバー３およびスライド部材４の位置関係を示す模式の側面図である。
【図１２】第１実施形態におけるカード用コネクタ１００にカードＣＡが挿入された状態を示す平面図である。
【図１３】第１実施形態における端子部２がスライド部材４により下方へ押し下げられた状態を示す模式の側面図である。
【図１４】第１実施形態における端子部２がカードＣＡの接続端子ＴＭに接触した状態を示す模式の側面図である。
【図１５】第１実施形態における操作レバー５が押圧操作され、排出レバー３の第１レバー当接部３ｈに当接した状態を示す平面図である。
【図１６】第１実施形態におけるカード用コネクタ１００がカードＣＡを排出した状態を示す平面図である。
【図１７】特許文献１に記載のカード用コネクタ９００を示す図である。
【発明を実施するための形態】
【００１７】
［第１実施形態］
以下に第１実施形態におけるカード用コネクタについて説明する。
【００１８】
まず始めに本実施形態におけるカード用コネクタ１００の構成について図１ないし図９を用いて説明する。図１は第１実施形態におけるカード用コネクタ１００の構成を示す分解斜視図である。図２は第１実施形態におけるカード用コネクタ１００の外観を示す斜視図である。図３は第１実施形態におけるカード用コネクタ１００が対応可能なカードＣＡを示す図であり、図３（ａ）はカードＣＡの外観を示す斜視図であり、図３（ｂ）は図３（ａ）に示すＺ２方向側から見た状態のカードＣＡを示す平面図である。図４は第１実施形態における操作レバー５を示す図であり、図４（ａ）は操作レバー５の外観を示す斜視図であり、図４（ｂ）は図４（ａ）に示すＺ１方向側から見た状態の操作レバー５を示す平面図である。図５は第１実施形態における排出レバー３を示す図であり、図５（ａ）は排出レバー３の外観を示す斜視図であり、図５（ｂ）は図５（ａ）に示すＺ１方向側から見た状態の排出レバー３を示す平面図である。図６は第１実施形態におけるスライド部材４を示す図であり、図６（ａ）はスライド部材４の外観を示す斜視図であり、図６（ｂ）は図６（ａ）に示すＺ２方向側から見た状態のスライド部材４を示す平面図である。図７は図６（ｂ）に記載の断面Ａ−Ａを示す断面図である。図８は第１実施形態におけるハウジング１を示す図であり、図８（ａ）はハウジング１の外観を示す斜視図であり、図８（ｂ）は図８（ａ）に示すＺ１方向側から見た状態のハウジング１を示す平面図である。図９は第１実施形態におけるカバー７を示す図であり、図９（ａ）はカバー７の外観を示す斜視図であり、図９（ｂ）は図９（ａ）に示すＺ２方向側から見た状態のカバー７を示す斜視図である。
【００１９】
カード用コネクタは、図１に示すように、ハウジング１と、端子部２と、排出レバー３と、スライド部材４と、操作レバー５と、付勢部材６と、カバー７と、を備え、図２に示すように、内部にカードＣＡを挿入可能に形成されている。
【００２０】
カードＣＡは図３に示すように、平板状に形成された記憶媒体である。カードＣＡは一方の面（Ｚ２方向側の面）に外部と電気的な接続が可能な接続端子ＴＭを有しており、第１実施形態においては６つの接続端子ＴＭが、所定の配置ピッチＰＴで３つずつ２列に並べて設けられている。
【００２１】
付勢部材６は金属線材からなり、図１に示すように、コイル状に巻回されたコイルばねである。
【００２２】
操作レバー５は合成樹脂材からなり、図４に示すように、板状に形成されている。操作レバー５はＺ１―Ｚ２方向に直交する平面に平行な板状に形成され、Ｙ１−Ｙ２方向に延設して設けられた軸部５ａを有する。操作レバー５は、軸部５ａのＹ２方向側の端部にＹ１−Ｙ２方向に対して垂直な面で形成された操作面５ｂを有する。また、操作レバー５は、軸部５ａのＹ１方向側の端部からＸ１−Ｘ２方向にそれぞれ突出した突出部５ｃを有する。また、軸部５ａおよび突出部５ｃのＹ１方向側の連続した端面にはカム部５ｄが形成されている。カム部５ｄは、操作面５ｂと平行な面である第１カム面５ｅと、操作面５ｂと平行な面であるとともに第１カム面５ｅよりも操作面５ｂに近い位置にある第３カム面５ｇと、第１カム面５ｅと第３カム面５ｇとを繋ぐように連続して設けられた平面である第２カム面５ｆとから形成される。また、操作レバー５は、軸部５ａと平行に延設された付勢部材保持部５ｈを有し、付勢部材保持部５ｈは操作面５ｂ側のＸ１方向側に設けられている。なお、付勢部材保持部５ｈは付勢部材６の端部に挿入可能な大きさに形成されている。
【００２３】
排出レバー３は金属板からなり、図５に示すように、板金加工により形成されている。排出レバー３は、ある方向であるＸ１−Ｘ２方向に延設された梃子部３ａを有する。梃子部３ａは上面から下面へ貫通する円形の貫通孔である軸穴３ｂを有し、軸穴３ｂを挟んで一方（Ｘ１方向）へ延設された第１腕部３ｃと他方（Ｘ２方向）へ延設された第２腕部３ｄとを有する。なお、第１腕部３ｃは第２腕部３ｄよりも長い。第１腕部３ｃは延設方向の先端部に、Ｙ２方向を向いた面を備えるスライダ当接部３ｅを有する。なお、スライダ当接部３ｅのＹ２方向を向いた面はＹ２方向に突出する曲面に形成されている。第２腕部３ｄは、二股に分かれて形成された第１枝部３ｆと第２枝部３ｇとを有する。第１枝部３ｆはＸ２方向へ延設され、延設方向の先端部に、Ｙ２方向を向いた面を備える第１レバー当接部３ｈを有する。なお、第１レバー当接部３ｈのＹ２方向を向いた面はＹ２方向に突出する曲面に形成されている。また、第２枝部３ｇは第１枝部３ｆからＹ２方向へ延設され、延設方向の先端部に、Ｙ２方向を向いた面を備える第２レバー当接部３ｋを有する。なお、第２レバー当接部３ｋのＹ２方向を向いた面はＹ２方向に突出する曲面に形成されている。また、軸穴３ｂの中心を基準とした第１レバー当接部３ｈまでの距離Ｄ１と第２レバー当接部３ｋまでの距離Ｄ２とを比較すると、距離Ｄ２よりも距離Ｄ１の方が大きい。
【００２４】
スライド部材４は合成樹脂材からなり、図６に示すように、略Ｌ字形状に形成されている。スライド部材４は、平板状に、ある方向であるＸ１−Ｘ２方向へ延設された基台部４ｆを有する。基台部４ｆは、上面（Ｚ１方向側の面）から上方へ突出するとともにＸ１−Ｘ２方向へリブ状に延設された伝達部４ａを有し、伝達部４ａは基台部４ｆの上面の、Ｘ１−Ｘ２方向に直交する方向の一方端であるＹ２方向側端部に沿って形成されている。また、基台部４ｆは下面側（Ｚ２方向側）に端子押下面４ｃを有する端子押下部４ｂを備えている。なお、端子押下面４ｃは、図７に示すように、Ｙ１−Ｙ２方向に沿った平坦面４ｄと、平坦面４ｄのＹ２方向側の端部に、平坦面４ｄに連接され平坦面４ｄから上方に向かって傾斜する傾斜面４ｅと、を備えている。傾斜面４ｅは、図６に示すように、カードＣＡの接続端子ＴＭの配置ピッチＰＴとほぼ同じ距離だけ離間して２箇所に設けられている。また、平坦面４ｄのＸ２方向側端部と、２つの傾斜面４ｅの間とに、下方へ突出するとともにＹ１−Ｙ２方向へリブ状に延設された摺動リブ部４ｇが形成されている。また、スライド部材４は、基台部４ｆのＸ１方向の端部に、Ｙ２方向へ延設されたスライドガイド部４ｈを有し、スライドガイド部４ｈの上面には、凹形状に形成されたカードガイド部４ｋが形成されている。また、スライドガイド部４ｈの上面には、金属板からなり弾性を備えた板ばね部材４ｍが設けられている。
【００２５】
ハウジング１は合成樹脂材からなり、図８に示すように、上方（Ｚ１方向側）が開放された中空の直方体状に形成され、金属薄板が内部に埋設されている。ハウジング１は内部にカードＣＡを収納可能な挿入空間１ａを有する。挿入空間１ａは、ある側壁（Ｙ２方向側の側壁）に、外部に連続するとともにカードＣＡを挿入可能な開口部１ｂを有する。また、挿入空間１ａは、Ｘ１方向側の側壁に沿って、スライド部材４のスライドガイド部４ｈを配置可能なスライド収納部１ｄを有するとともに、埋設された金属薄板の一部が底板部１ｋから露出し、弾性を備えた端子部２を有する。また、ハウジング１は、挿入空間１ａの底板部１ｋにＹ１方向側の側壁からＹ２方向に向かって直線の溝形状に形成されたレール溝１ｅを２箇所に有する。レール溝１ｅは端子部２同士の間を通るように形成され、スライド部材４の２つの摺動リブ部４ｇの間隔と同じ間隔で形成されるとともに、摺動リブ部４ｇを挿入可能な幅に形成されている。また、ハウジング１は内部に挿入空間１ａに連続して設けられた排出機構収納部１ｃを有する。排出機構収納部１ｃは、Ｙ２方向側の側壁に、外部に連続するとともに操作レバー５の操作面５ｂ側の端部を挿通可能なレバー開口部１ｆを有する。排出機構収納部１ｃは、レバー開口部１ｆに連続して操作レバー５を収納可能な第１レバー収納部１ｇを有し、第１レバー収納部１ｇと挿入空間１ａとは側壁により隔てられている。また、排出機構収納部１ｃは、第1レバー収納部１ｇに連続するとともに挿入空間１ａに連続し、排出レバー３を収納可能な第２レバー収納部１ｈを有する。
【００２６】
端子部２はハウジング１の底板部１ｋに固定されて挿入空間１ａの内側に突出し、カードＣＡの接続端子ＴＭと接続可能に、所定の配置ピッチＰＴで３つずつ２列に並べて配設されている。なお、端子部２は開口部１ｂ側が固定端で、開口部１ｂからみて挿入空間１ａの奥側が自由端となる片持ち梁状に形成され、上下方向に弾性変形可能な弾性を備えている。
【００２７】
カバー７は金属板からなる。図９に示すように、カバー７は長方形の平板状に形成された天板部７ａを有するとともに、天板部７ａの幅方向側の端部（Ｘ１方向側およびＸ２方向側の端部）から下方（Ｚ２方向）へ延出した側板部７ｂを有する。なお、天板部７ａはハウジング１の上方を覆うことができる大きさである。また、カバー７は、側板部７ｂの延出方向側端部から幅方向の外側に向かって延出する半田付け部７ｃを有する。半田付け部７ｃは、側板部７ｂにそれぞれ３箇所ずつ形成されている。また、カバー７は、天板部７ａに下方へ向かってバーリング加工により円筒状に突出して形成された回動軸部７ｄを有する。回動軸部７ｄの直径は排出レバー３の軸穴３ｂに挿通可能な大きさに形成されている。
【００２８】
次にカード用コネクタ１００の構造について図１０を用いて説明する。図１０は第１実施形態におけるカード用コネクタ１００の構成を示す平面図である。
【００２９】
図１０に示すように、スライド部材４は、ハウジング１の挿入空間１ａに配置される。このとき、スライド部材４は、スライドガイド部４ｈをスライド収納部１ｄに配置するとともに、基台部４ｆを挿入空間１ａに突出させ、摺動リブ部４ｇ（図５参照）をレール溝１ｅに挿入した状態で配置される。なお、スライド部材４は、カードＣＡの挿入方向であるＹ１方向およびカードＣＡの排出方向であるＹ２方向へスライド移動可能に保持されている。付勢部材６は、操作レバー５の付勢部材保持部５ｈを一端側に挿入した状態で保持される。付勢部材６を保持した操作レバー５は、第１レバー収納部１ｇに配置される。第１レバー収納部１ｇに配置された操作レバー５は、操作面５ｂをレバー開口部１ｆ側に向けるとともに、付勢部材６が第１レバー収納部１ｇと挿入空間１ａとを隔てる側壁に沿って配置される向きに配置される。このように操作レバー５を配置することで、付勢部材６は操作レバー５と第１レバー収納部１ｇとの間に挟持され、操作レバー５を操作面５ｂがレバー開口部１ｆから突出する方向へ付勢する。なお、操作レバー５は付勢部材６の付勢力に抗してＹ１方向へ移動可能である。排出レバー３は、軸穴３ｂに回動軸部７ｄを挿入し、上下方向を回転中心として回動可能に軸支された状態でカバー７に保持される。なお、排出レバー３は、スライダ当接部３ｅの延設方向の先端部が天板部７ａから離れる側となるとともに、スライダ当接部３ｅの曲面が天板部７ａの中心側を向くように軸支される。このように排出レバー３が軸支されたカバー７を、排出レバー３が第２レバー収納部１ｈに収まるとともに、ハウジング１を覆うように配置し、カバー７をハウジング１に係止する。軸支された排出レバー３は、スライダ当接部３ｅがスライド部材４の伝達部４ａに当接可能であるとともに、第１レバー当接部３ｈおよび第２レバー当接部３ｋが操作レバー５のカム部５ｄに当接可能である位置に配置される。したがって、排出レバー３に当接した状態でスライド部材４はスライド可能であり、排出レバー３と端子部２の間に端子押下部４ｂ（図５参照）が介在する構造となる。このようにしてカード用コネクタ１００は形成される。
【００３０】
次にカード用コネクタ１００の動作について図１０ないし図１６を用いて説明する。図１１は第１実施形態におけるカード用コネクタ１００にカードＣＡが未挿入の場合の端子部２、排出レバー３およびスライド部材４の位置関係を示す模式の側面図である。図１２は第１実施形態におけるカード用コネクタ１００にカードＣＡが挿入された状態を示す平面図である。図１３は第１実施形態における端子部２がスライド部材４により下方へ押し下げられた状態を示す模式の側面図である。図１４は第１実施形態における端子部２がカードＣＡの接続端子ＴＭに接触した状態を示す模式の側面図である。図１５は第１実施形態における操作レバー５が押圧操作され、排出レバー３の第１レバー当接部３ｈに当接した状態を示す平面図である。図１６は第１実施形態におけるカード用コネクタ１００がカードＣＡを排出した状態を示す平面図である。
【００３１】
カード用コネクタ１００にカードＣＡが未挿入の場合、図１０に示すように、スライド部材４は、スライド可能な範囲内においてカードＣＡの挿入方向のもっとも手前側に、スライド可能な状態で保持されている。このとき、排出レバー３は、スライダ当接部３ｅがスライド部材４の伝達部４ａに当接するとともに、回動可能に軸支されている。また、排出レバー３と端子部２とが平面視で重なり合う位置にあるが、図１１に示すように、端子押下部４ｂが排出レバー３と端子部２との間に介在するように配置されている。
【００３２】
次に、カードＣＡが挿入されると、図１２に示すように、カードＣＡの挿入方向（Ｙ１方向）前端部がスライド部材４の伝達部４ａに当接する。スライド部材４に当接後、さらにカードＣＡを挿入方向の奥まで挿入すると、排出レバー３とカードＣＡの挿入方向前端部との間に介在する伝達部４ａは、排出レバー３を押圧し、カードＣＡとともにスライド移動するスライド部材４に連動して排出レバー３の第１腕部３ｃを挿入方向側へ回動させる。このようにカードＣＡを挿入することで、スライド部材４はカードＣＡの挿入方向前方側でカードＣＡとともにカードＣＡの排出方向（Ｙ２方向）にスライド可能に支持される。またカードＣＡ連動してスライド部材４が挿入方向へ移動する時、図１３に示すように、挿入方向へスライド移動したスライド部材４は、端子押下部４ｂの傾斜面４ｅが端子部２に当接し、端子部２を下方に押下げ撓ませる。端子部２は傾斜面４ｅに沿って摺接した後に、傾斜面４ｅに連続して形成される平坦面４ｄと摺接する。さらに、カードＣＡおよびスライド部材４が、挿入方向の末端位置まで移動すると、図１４に示すように、端子部２は、平坦面４ｄとほぼ面一な状態となるカードＣＡの接続端子ＴＭが設けられた面に摺接した後、接続端子ＴＭに接触する。なおこの時、すべての端子部２は対応する接続端子ＴＭにそれぞれ接続しており、カードＣＡとカード用コネクタ１００とが電気的に接続される。
【００３３】
次にカードＣＡを排出する場合の動作について説明する。カードＣＡが挿入されたカード用コネクタ１００は、図１２に示すように、スライド部材４はカードＣＡの挿入方向前方側でカードＣＡとともにカードＣＡの排出方向にスライド可能な状態で支持されている。カードＣＡは、操作レバー５をカードＣＡの挿入方向へ押圧し、スライド移動させることで排出することができる。操作レバー５をカードＣＡの挿入方向へスライド移動させると、図１５に示すように、操作レバー５の第１カム面５ｅが、排出レバー３の第１レバー当接部３ｈに当接する。排出レバー３の一端部である第１レバー当接部３ｈをカードＣＡの挿入方向へ押圧すると、排出レバー３は回動して、他端部である第２レバー当接部３ｋが、排出レバー３のカードＣＡの排出方向への力を伝達部４ａを介してカードＣＡに伝達し、カードＣＡを開口部１ｂへ押し出し始める。さらに排出レバー３を押圧すると、第１レバー当接部３ｈは第１カム面５ｅから第２カム面５ｆに沿って摺動する。その後、図１６に示すように、第２レバー当接部３ｋに第３カム面５ｇが当接し、第１レバー当接部３ｈは操作レバー５から離間し、排出レバー３は第２レバー当接部３ｋを押圧される。第２レバー当接部３ｋを押圧された排出レバー３は、第１腕部３ｃがカードＣＡの排出方向へ回動を行い、スライド部材４を介してカードＣＡを排出方向へ押圧し、排出する。なお、図１５および図１６には図示していないが、実際に操作レバー５を押圧操作する場合には、例えば、カード用コネクタ１００が組み込まれた電子機器に備えられ、レバー開口部１ｆに挿入可能な棒状に形成された押圧部品などを用いて行なう。
【００３４】
このようにして、カード用コネクタ１００は、カードＣＡの挿入、排出およびカードＣＡとの電気的な接続を行なうことができる。
【００３５】
以下、本実施形態としたことによる効果について説明する。
【００３６】
本実施形態のカード用コネクタ１００では、接続端子ＴＭを有したカードＣＡを開口部１ｂから挿入可能な挿入空間１ａを有するハウジング１と、ハウジング１の底板部１ｋに固定されて挿入空間１ａの内側に突出し、カードＣＡの接続端子ＴＭと接続可能に配設され、上下方向に弾性変形可能な端子部２と、上下方向を回転中心として回動可能に軸支され、一端部をカードＣＡの挿入方向へ押圧すると、回動して他端部がカードＣＡを開口部１ｂへ押し出す排出レバー３と、を備えるカード用コネクタにおいて、排出レバー３とカードＣＡの挿入方向前端部の間に介在し排出レバー３のカードＣＡの排出方向への力を伝達可能な伝達部４ａ、および排出レバー３と端子部２の間に介在し端子部２を下方に押下げ可能な端子押下面４ｃを有する端子押下部４ｂを備えたスライド部材４を備え、スライド部材４はカードＣＡの挿入方向前方側でカードＣＡとともにカードＣＡの排出方向にスライド可能に支持され、排出レバー３と端子部２とが平面視で重なり合う位置において端子押下部４ｂが排出レバー３と端子部２との間に介在する、構成とした。
【００３７】
これにより、カードＣＡとともにカードＣＡの排出方向にスライド可能に支持されたスライド部材４に端子押下部４ｂを設け、平面視で、回動により排出レバー３と端子部２とが重なりあう位置において、排出レバー３と端子部２との間に端子押下部４ｂが介在する構成とした。このような構成とすることで、カードＣＡが排出される過程で、端子部２は端子押下部４ｂにより押し下げられ、排出レバー３と端子部２とが接触することはなくなる。これにより、排出レバー３と端子部２とが接触し、端子部２が変形するのを防ぐことができる。よって、排出レバー３の回動域を広げても排出レバー３と端子部２とが接触し、端子部２が変形することがなくなるため、カードＣＡ排出時の排出ストロークを大きくすることができる。したがって、カードＣＡ排出時の排出ストロークが大きく、かつ排出レバー３と端子部２との接触を防止することができるカード用コネクタを提供することができる、という効果を奏する。
【００３８】
また、本実施形態のカード用コネクタ１００では、端子押下面４ｃは、カードＣＡの挿入方向に沿った平坦面４ｄを備えている、構成とした。
【００３９】
これにより、カードＣＡの挿入方向に沿った平坦面４ｄで端子に接触することで、端子に余計な負荷がかかりにくく、端子の変形や破損などが発生しにくくなり、より確実にカードＣＡとの電気的な接続を得ることができるカード用コネクタを提供することができる、という効果を奏する。
【００４０】
また、本実施形態のカード用コネクタ１００では、端子押下面４ｃは、開口部１ｂ側の端部に、平坦面４ｄに連接され平坦面４ｄから上方に向かって傾斜する傾斜面４ｅを備えている、構成とした。
【００４１】
これにより、端子押下部４ｂの端部に、傾斜面４ｅを設けることで、はじめに傾斜面４ｅと端子とが接触し、傾斜面４ｅに沿って接触しながら移動し、徐々に下方へ撓む。そのため、端子にはさらに余計な負荷がかかりにくくなり、端子の変形や破損などがさらに発生しにくくなる。したがって、さらに確実にカードＣＡとの電気的な接続を得ることができるカード用コネクタを提供することができる、という効果を奏する。
【００４２】
以上のように、本発明の実施形態に係るカード用コネクタを具体的に説明したが、本発明は上記の実施形態に限定されるものではなく、要旨を逸脱しない範囲で種々変更して実施することが可能である。例えば次のように変形して実施することができ、これらの実施形態も本発明の技術的範囲に属する。
【００４３】
[変形例１]
本実施形態において、排出レバー３は自由に回動可能な状態で軸支されている構成としたが、なんらかの付勢部材で排出方向へ付勢する、またはカバー７に挿入空間１ａ内に突出する突起部を設けるなどして、排出レバー３の動きを規制しても良い。
【００４４】
[変形例２]
本実施形態において、端子部２を６本備える構成としたが、対応可能なカードに合わせて本数や配置位置などを変更しても良い。
【００４５】
[変形例３]
本実施形態において、操作レバー５を押圧操作する場合には、例えば、カード用コネクタ１００が組み込まれた電子機器に備えられ、レバー開口部１ｆに挿入可能な棒状に形成された押圧部品などを用いて行なう公正としたが、押圧部品を用いることなく押圧操作可能な構成であっても良い。
【符号の説明】
【００４６】
１      ハウジング
１ａ    挿入空間
１ｂ    開口部
１ｃ    排出機構収納部
１ｄ    スライド収納部
１ｅ    レール溝
１ｆ    レバー開口部
１ｇ    第１レバー収納部
１ｈ    第２レバー収納部
１ｋ    底板部
２      端子部
３      排出レバー
３ａ    梃子部
３ｂ    軸穴
３ｃ    第１腕部
３ｄ    第２腕部
３ｅ    スライダ当接部
３ｆ    第１枝部
３ｇ    第２枝部
３ｈ    第１レバー当接部
３ｋ    第２レバー当接部
４      スライド部材
４ａ    伝達部
４ｂ    端子押下部
４ｃ    端子押下面
４ｄ    平坦面
４ｅ    傾斜面
４ｆ    基台部
４ｇ    摺動リブ部
４ｈ    スライドガイド部
４ｋ    カードガイド部
４ｍ    板ばね部材
５      操作レバー
５ａ    軸部
５ｂ    操作面
５ｃ    突出部
５ｄ    カム部
５ｅ    第１カム面
５ｆ    第２カム面
５ｇ    第３カム面
５ｈ    付勢部材保持部
６      付勢部材
７      カバー
７ａ    天板部
７ｂ    側板部
７ｃ    半田付け部
７ｄ    回動軸部
１００  カード用コネクタ
ＣＡ    カード
Ｄ１    距離
Ｄ２    距離
ＰＴ    配置ピッチ
ＴＭ    接続端子
【図１】
2015109232.tif 000003
【図２】
2015109232.tif 000004
【図３】
2015109232.tif 000005
【図４】
2015109232.tif 000006
【図５】
2015109232.tif 000007
【図６】
2015109232.tif 000008
【図７】
2015109232.tif 000009
【図８】
2015109232.tif 000010
【図９】
2015109232.tif 000011
【図１０】
2015109232.tif 000012
【図１１】
2015109232.tif 000013
【図１２】
2015109232.tif 000014
【図１３】
2015109232.tif 000015
【図１４】
2015109232.tif 000016
【図１５】
2015109232.tif 000017
【図１６】
2015109232.tif 000018
【図１７】
2015109232.tif 000019